(57)【要約】【課題】背景の色調を統一し、見栄えを向上させることが可能な有機ＥＬパネルを提供する。【解決手段】有機ＥＬパネル１は、少なくとも発光層を有する有機層７を透光性の第一電極（透明電極）５と非透光性の第二電極（背面電極）８とで挟持して構成される有機ＥＬ素子３を透光性の支持基板２上に配設する。有機ＥＬ素子３を気密的に覆うように封止部材９を配設する。少なくとも第二電極８と封止部材９との隙間部Ａに位置する有色層４を支持基板２上に設けてなる。【選択図】　図１
2004134217.tif 000002
【特許請求の範囲】
【請求項１】
少なくとも発光層を有する有機層を透光性の第一電極と非透光性の第二電極とで挟持して構成される有機ＥＬ素子を透光性の支持基板上に配設し、前記有機ＥＬ素子を気密的に覆うように封止部材を配設してなる有機ＥＬパネルであって、
少なくとも前記第二電極と前記封止部材との隙間部に位置する有色層を前記支持基板上に設けてなることを特徴とする有機ＥＬパネル。
【請求項２】
前記有色層は、前記第二電極と部分的に重なり合うことを特徴とする請求項１に記載の有機ＥＬパネル。
【請求項３】
前記第二電極は配線部を備え、前記有色層は、前記支持基板上の前記配線部が形成される領域に設けられてなることを特徴とする請求項１に記載の有機ＥＬパネル。
【請求項４】
前記有色層は、金属層からなることを特徴とする請求項１に記載の有機ＥＬパネル。
【請求項５】
前記金属層は、接地されてなることを特徴とする請求項４に記載の有機ＥＬパネル。
【発明の詳細な説明】
【０００１】
【発明の属する技術分野】
本発明は、少なくとも発光層を有する有機層を一対の電極で挟持した有機ＥＬ（エレクトロルミネッセンス）素子を透光性の支持基板上に配設してなる有機ＥＬパネルに関する。
【０００２】
【従来の技術】
有機ＥＬ素子を用いた有機ＥＬパネルとしては、ガラス材料からなる透光性の支持基板上に、陽極となるＩＴＯ（Ｉｎｄｉｕｍ　Ｔｉｎ　Ｏｘｉｄｅ）等からなる透明電極（第一電極）と、正孔注入層，正孔輸送層，発光層及び電子輸送層等からなる有機層と、陰極となるアルミニウム（Ａｌ）等からなる非透光性の背面電極（第二電極）と、を順次積層して前記有機ＥＬ素子を形成し、前記有機ＥＬ素子を気密的に覆うようにガラス材料からなる封止部材を配設して構成されるものが知られている。（例えば、特許文献１参照）
【０００３】
かかる有機ＥＬパネルにおいては、前記透明電極と前記背面電極とに直流電流を電気的に接続し、両電極間に電流を供給することによって前記有機層が発光し、その発光を支持基板を通して外部へ照射するものである。
【０００４】
【特許文献１】
特開平１１−１６２６３５号公報
【０００５】
【発明が解決しようとする課題】
しかしながら、前記有機ＥＬパネルは、前記背面電極を背景として表示部を構成する前記有機ＥＬ素子を前記支持基板方向に向けて発光させる構成となるが、前記背面電極と前記封止部材との間には前記背面電極が設けられていない隙間部があり、前記有機ＥＬパネルの可視範囲内の背景において前記隙間部が視認され、見栄えが悪くなるという問題を有していた。
【０００６】
本発明は、このような問題に鑑み、背景において背面電極と封止部材との隙間部が視認されることを抑制し、見栄えを向上させることが可能な有機ＥＬパネルを提供することを目的とする。
【０００７】
【課題を解決するための手段】
本発明は、前記課題を解決するために、少なくとも発光層を有する有機層を透光性の第一電極と非透光性の第二電極とで挟持して構成される有機ＥＬ素子を透光性の支持基板上に配設し、前記有機ＥＬ素子を気密的に覆うように封止部材を配設してなる有機ＥＬパネルであって、少なくとも前記第二電極と前記封止部材との隙間部に位置する有色層を前記支持基板上に設けてなることを特徴とする。
【０００８】
前記有色層は、前記第二電極と部分的に重なり合うことを特徴とする。
【０００９】
前記第二電極は配線部を備え、前記有色層は、前記支持基板上の前記配線部が形成される領域に設けられてなることを特徴とする。
【００１０】
前記有色層は、金属層からなることを特徴とする。
【００１１】
前記金属層は、接地されてなることを特徴とする。
【００１２】
【発明の実施の形態】
以下、ドットマトリクス型の有機ＥＬパネルに本発明を適用した一実施形態を添付の図面に基いて説明する。図１から図４は第一実施形態を示すものである。
【００１３】
有機ＥＬパネル１は、例えばガラス材料からなる支持基板２に有機ＥＬ素子３と有色層４とを形成したものである。有機ＥＬ素子３は、透明電極５（第一電極），絶縁層６，有機層７，背面電極８（第二電極）からなるものであり、支持基板２上に順次積層形成されている。また、有機ＥＬパネル１は、有機ＥＬ素子３を気密的に覆う封止部材９を備える。なお、図２は、有機ＥＬパネル１を封止部材９側から見た正面図である。
【００１４】
有色層４は、例えばクロム（Ｃｒ）からなる有色の金属層であり、スパッタリング，蒸着法あるいはイオンプレーティング等の方法で支持基板２上に形成され、例えばフォトリソグラフィー法にて図３に示す形状に成形される。有色層４は、透明電極５，有機層７及び背面電極８が積層して形成される表示部を取り囲むように形成されており、背面電極８と封止部材９との間の隙間部Ａに位置し、また、絶縁層６を介して部分的に背面電極８の辺部と重なり合うように支持基板２上に形成される外周部４ａと、絶縁層６を介して陰極配線部８ａが形成される領域に設けられる内板部４ｂを有している。有色層４上に形成される絶縁層６は、有色層４と背面電極８とを絶縁する。なお、有色層４は、暗色であることが望ましい。また、有色層４は、金属層でなく例えば有色の樹脂材料からなる構成であってもよい。
【００１５】
透明電極５は、例えば酸化スズ（ＳｎＯ２）に酸化インジウム（Ｉｎ２Ｏ３）をドープしたＩＴＯ（Ｉｎｄｉｕｍ　Ｔｉｎ　Ｏｘｉｄｅ）をスパッタリング，蒸着法あるいはイオンプレーティング等の方法で支持基板２上に層状に形成し、例えばフォトリソグラフィー法にてストライプ状にパターニングしてなるものである。透明電極５は、陽極配線部５ａ及び陽極部５ｂを有している。また、陽極配線部５ａは終端部に陽極端子部５ｃを備え、陽極端子部５ｃを介して図示しない外部電源と電気的に接続されている。
【００１６】
絶縁層６は、ポリイミド系の絶縁材料からなるものであり、有色層４の上に積層されている。絶縁層６は、有色層４と後述する陰極配線部８ａ（配線部）の間及び陽極部５ｂと後述する陰極部８ｂの間を絶縁するものである。
【００１７】
有機層７は、正孔注入層７ａ，正孔輸送層７ｂ，発光層７ｃ及び電子輸送層７ｄからなるものであり（図３参照）、陽極部５ｂに積層されている。
【００１８】
背面電極８は、アルミニウム（Ａｌ）からなるものであり、蒸着等の方法で形成される。背面電極８は、円弧状の陰極配線部８ａ及び透明電極に直行する陰極部８ｂを有しており、陰極配線部８ａ及び陰極部８ｂは、背面電極８を絶縁層６上に配設される例えば樹脂材料からなる逆テーパー状のリブ部Ｂによってストライプ状に切断して形成される。また陰極配線部８ａは例えばＩＴＯからなる接続配線部８ｃに電気的に接続されており、接続配線部８ｃの終端部に設けられた陰極端子部８ｄを介して前記外部電源と電気的に接続されている。
【００１９】
封止部材９は、例えばガラス材料からなる平板部材をサンドブラスト、切削及びエッチング等の適宜方法で凹形状に形成してなるものである。封止部材９は、例えば紫外線硬化性エポキシ樹脂からなる接着剤９ａを介して支持基板２上に気密的に配設され、封止部材９と支持基板２とで有機ＥＬ素子３を封止する。また、封止部材９は、接地端子部４ｄ，陽極端子部５ｃおよび陰極端子部８ｃが外部に露出するように支持基板２よりも若干小さめに構成されている。
【００２０】
以上の各部によって有機ＥＬパネル１が形成されている。有機ＥＬパネル１は、陽極部５ｂと陰極部８ｂの対向箇所からなる画素がマトリクス状に設けられて前記表示部が形成されており、前記外部電源によって前記各画素に定電流を選択的に付与することによって前記各画素を支持基板２方向に向けて選択的に発光させ、種々の文字や図形を表示する。
【００２１】
かかる有機ＥＬパネル１は、背面電極８と支持基板２との間の隙間部Ａに有色層４を配設することにより、表示面である支持基板２方向から見て隙間部Ａが有色層４によって覆われる構成となり、また、有色層４が前記表示部の背景として視認されることとなる。有機ＥＬパネル１は、有色層４を外周部４ａが背面電極８と封止部材９との間の隙間部Ａに位置し、また、部分的に背面電極８の前記辺部と重なり合うように形成し、さらに内板部４ｂを陰極配線部８ａが形成される領域に位置するように設けることによって、有機ＥＬパネル１の背景において隙間部Ａが視認されることを抑制し、見栄えを向上させることが可能となる。また、有色層４を前記表示部を取り囲むように形成することによって、有機ＥＬ素子３から発せられる表示光が支持基板２方向以外に向けて発せられることを抑制し、視認性を向上させることが可能となる。
【００２２】
図５及び図６は第二実施形態を示すものである。第一実施形態と同一の構成には同一の符号を付してその詳細な説明を省略する。
【００２３】
有機ＥＬパネル１は、支持基板２上に有機ＥＬ素子３と有色層４とを形成したものである。有機ＥＬ素子３は、絶縁層６，透明電極５，有機層７，背面電極８からなるものである。なお、図５は、有機ＥＬパネル１を封止部材９側から見た正面図である。
【００２４】
有色層４は、例えばクロムからなるものであり、スパッタリング，蒸着法あるいはイオンプレーティング等の方法で支持基板２上に形成され、例えばフォトリソグラフィー法にて図６に示す形状に成形される。また、有色層４は、透明電極５，有機層７及び背面電極８が積層して形成される前記表示部を取り囲むように形成されており、背面電極８と封止部材９との間の隙間部Ａに位置し、絶縁層６を介して部分的に背面電極８の前記辺部と重なり合うように支持基板２上に形成される外周部４ａと、絶縁層６を介して陰極配線部８ａが形成される領域に設けられる内板部４ｂを有している。また、有色層４は、接地配線部４ｃを有しており、接地配線部４ｃの終端部に形成される接地端子４ｄを介してアース（接地）されている。有色層４上に形成される絶縁層６は、有色層４と背面電極８とを絶縁する。
【００２５】
かかる有機ＥＬパネル１は、有色層４を金属層によって形成し、この有色層４を接地したことにより、有機ＥＬ素子３及び陰極配線部８ａから発生する電磁放射ノイズを低減させることが可能となる。
【００２６】
なお、本実施形態はドットマトリクス型の有機ＥＬパネル１であったが、セグメント型の有機ＥＬパネルにも本発明を適用できることは言うまでもない。
【００２７】
【発明の効果】
本発明は、少なくとも発光層を有する有機層を一対の電極で挟持した有機ＥＬ素子を透光性の支持基板上に配設してなる有機ＥＬパネルに関し、背景において背面電極と封止部材との隙間部が視認されることを抑制し、見栄えを向上させることが可能となる。
【図面の簡単な説明】
【図１】本発明の第一実施形態を示す断面図。
【図２】同上実施形態を示す正面図。
【図３】同上実施形態の有色層を示す正面図。
【図４】同上実施形態を示す有機層の拡大断面図。
【図５】本発明の第二実施形態を示す正面図。
【図６】同上実施形態の有色層を示す正面図。
【符号の説明】
Ａ　　隙間部
１　　有機ＥＬパネル
２　　支持基板
３　　有機ＥＬ素子
４　　有色層
５　　透明電極（第一電極）
５ａ　陽極配線部
５ｂ　陽極部
６　　絶縁層
７　　有機層
８　　背面電極（第二電極）
８ａ　陰極配線部（配線部）
８ｂ　陰極部
９　　封止部材
【図１】
2004134217.tif 000003
【図２】
2004134217.tif 000004
【図３】
2004134217.tif 000005
【図４】
2004134217.tif 000006
【図５】
2004134217.tif 000007
【図６】
2004134217.tif 000008